(57)【要約】【課題】本発明の課題は、原稿載置台に原稿をセットした際に良好なセット感を得られるようにして、原稿の先端部を揃え易くすることができる。【解決手段】原稿が載置される原稿テーブル１と、この原稿テーブル１に載置された原稿を給紙する分離給紙部４０と、原稿テーブル１と分離給紙部４０との間に形成された原稿の搬送路３４を遮蔽して原稿テーブル１に載置された原稿の先端を規制する規制位置及びこの規制位置から退避して分離給紙部４０による給紙を可能にする退避位置に移動自在に設けられた原稿ストッパ２を備えている自動原稿搬送装置５０であって、原稿ストッパ２には、この原稿ストッパ２に突き当たった原稿の先端が滑るのを防止する滑り止め部２ｅが設けられている。【選択図】図２
2008265885.tif 000002
【特許請求の範囲】
【請求項１】
原稿が載置される原稿載置台と、この原稿載置台に載置された原稿を給紙する給紙部と、原稿載置台と給紙部との間に形成された原稿の搬送路を遮蔽して原稿載置台に載置された原稿の先端を規制する規制位置及びこの規制位置から退避して給紙部による給紙を可能にする退避位置に移動自在に設けられた規制部材を備えている自動原稿搬送装置であって、
規制部材には、この規制部材に突き当たった原稿の先端が滑るのを防止する滑り止め部が設けられていることを特徴とする自動原稿搬送装置。
【請求項２】
滑り止め部は、規制部材に摩擦部材を取り付けて構成されていることを特徴とする請求項１に記載の自動原稿搬装置。
【請求項３】
原稿の画像を読み取る読取部を備えている画像読取装置において、
請求項１又は２に記載の自動原稿搬送装置を備えていることを特徴とする画像読取装置。
【請求項４】
読み取った原稿の画像に対応した画像を形成する画像形成部を有する画像形成装置において、
請求項１又は２に記載の自動原稿搬送装置を備えていることを特徴とする画像形成装置。
【発明の詳細な説明】
【技術分野】
【０００１】
本発明は、原稿載置台に載置された原稿を一枚ずつ分離して給紙する自動原稿搬送装置に関する。
【背景技術】
【０００２】
一般に、複写機等の画像形成装置やスキャナ等の画像読取装置においては、その上部に、原稿載置台にセットされた原稿を読取位置に搬送してその原稿情報を読み取らせた後に、原稿載置台の下方にある排紙台に排紙する自動原稿搬送装置が設けられている。
【０００３】
このような自動原稿搬送装置においては、原稿束を原稿載置台にセットするときにこれらの先端を揃えるとともに、搬送下流側に原稿束が移動しないよう原稿束の先端を突き当てる規制部材を設けているものが知られている（例えば、特許文献１乃至３参照）。
【０００４】
【特許文献１】特開平１１−１４３１３９号公報
【特許文献２】特開２０００−０７２２６９号公報
【特許文献３】特開２００１−３４１８７９号公報
【発明の開示】
【発明が解決しようとする課題】
【０００５】
しかしながら、上記従来技術の場合、枚数が少なく先端部にカールのある原稿束を原稿載置台に差し込んでセットする際、原稿先端が規制部材に突き当たってもその当接面で滑りが生じて原稿がたわむため、原稿をセットする使用者はセット感（突き当たり感）が感じられないことがある。特に、原稿載置台に積載可能な枚数の多い自動原稿搬送装置ほど、原稿を差し入れる開口の高さ方向の間隔が広いので、原稿が大きくたわみ、セット感が得られない。このように、原稿のセット感が得られないと何処まで原稿を差し込み続けて良いか分からず、原稿の先端が揃い難いという問題がある。
【０００６】
本発明は、原稿載置台に原稿をセットした際に良好なセット感を得られるようにして、原稿の先端部を揃え易くすることができる自動原稿搬送装置、画像読取装置及び画像形成装置を得ることを目的とする。
【課題を解決するための手段】
【０００７】
前記課題を解決する為に、請求項１に記載された発明は、原稿が載置される原稿載置台と、この原稿載置台に載置された原稿を給紙する給紙部と、原稿載置台と給紙部との間に形成された原稿の搬送路を遮蔽して原稿載置台に載置された原稿の先端を規制する規制位置及びこの規制位置から退避して給紙部による給紙を可能にする退避位置に移動自在に設けられた規制部材を備えている自動原稿搬送装置であって、規制部材には、この規制部材に突き当たった原稿の先端が滑るのを防止する滑り止め部が設けられていることを特徴とする。
【０００８】
請求項２に記載された発明は、請求項１に記載された発明において、滑り止め部は、規制部材に摩擦部材を取り付けて構成されていることを特徴とする。
【０００９】
請求項３に記載された発明は、原稿の画像を読み取る読取部を備えている画像読取装置において、請求項１又は２に記載の自動原稿搬送装置を備えていることを特徴とする画像読取装置である。
【００１０】
請求項４に記載された発明は、読み取った原稿の画像に対応した画像を形成する画像形成部を有する画像形成装置において、請求項１又は２に記載の自動原稿搬送装置を備えていることを特徴とする画像形成装置である。
【発明の効果】
【００１１】
本発明によれば、規制部材に滑り止め部が設けられているので、原稿を原稿載置台に差し込んでセットした際に、規制部材に突き当たった原稿の先端が滑るのを防止するため、良好なセット感を得ることができ、原稿の先端を揃え易くすることができる。
【発明を実施するための最良の形態】
【００１２】
以下、添付図面を参照して、本発明の実施の形態を詳細に説明する。図１は本発明の実施の形態に係る自動原稿搬送装置を概略的に示す断面図であり、図２は図１の自動原稿搬送装置の要部を拡大して示す断面図であり、図３は図２の原稿ストッパの作用を説明するための断面図である。
【００１３】
図１に示すように、自動原稿搬送装置５０は、複写機、プリンタ、ファクシミリあるいはこれらの複合機等の画像形成装置５１における上部に設けられ、この画像形成装置５１のコンタクトガラス８に向けて原稿を搬送するものである。尚、画像形成装置５１には、原稿の画像をコンタクトガラス８を介して読み取る読取部、この読取部が読み取った画像に対応する静電潜像が形成される像担持体、像短持体に形成された静電潜像にトナーを供給して静電潜像をトナー像として現像する現像部、トナー像を用紙に転写する転写部及び用紙に転写されたトナー像を定着する定着部等により、用紙に原稿画像に対応した画像を形成する画像形成部が設けられているが、本実施の形態ではその図示及びその詳細な説明は省略する。
【００１４】
自動原稿搬送装置５０は、先端が下方に向くように傾斜しているとともに、原稿が複数枚重なって束となった原稿束２０が差し込んでセットされる原稿テーブル１と、この原稿テーブル１にセットされた原稿束２０を送り出す呼び出しコロ（呼び出しローラ）３と、原稿テーブル１の原稿束２０を一枚ずつ分離して給紙する分離給紙部（給紙部）４０と、分離給紙部４０から給紙された原稿をコンタクトガラス８に向けて搬送するプルアウトローラ対５及び搬送コロ対１４と、コンタクトガラス８を通過した原稿を更に下流側に向けて搬送する搬送コロ対１５及び排紙コロ対１１と、排紙コロ対１１によって搬送された（排紙された）原稿をスタックする排紙トレイ１０とを備えている。
【００１５】
分離給紙部４０は、給紙ベルト４及びリバースコロ６とを備え、これらの給紙ベルト４及びリバースコロ６によって、呼び出しコロ３から送り出された原稿束２０を一枚ごとに分離し、この分離給紙部４０より下流側に給紙するようになっている。
【００１６】
また、原稿テーブル１の先端側には、上下に配置された案内板３０、３２が分離給紙部４０まで延びて設けられて、原稿テーブル１と分離給紙部４０との間における原稿の搬送路３４を形成している。これらの案内板３０、３２の間の空間は、原稿テーブル１にセットされる原稿束２０の給紙口１３とされている。
【００１７】
案内板３０、３２のうち、下方の案内板において呼び出しコロ３と分離給紙部４０との間の部分は、下流側ほど上方に傾斜して原稿束２０を局部的に湾曲させるためのプレ分離部３０ａを形成している。また、下方の案内板３０において、プレ分離部３０ａよりも上流側の後端部分３０ｂは、案内板３０の後端（図１において左側）からプレ分離部３０ａに向かうほど下方に傾斜して、プレ分離部３０ａと後端部分３０ｂとの間に下方に湾曲した窪み３１を形成している。
【００１８】
原稿テーブル１にセットされた原稿束２０の先端は、この窪み３１まで差し込まれるようになっており、この窪み３１は呼び出しコロ３と協動して、原稿束２０のうち、最上の原稿をプレ分離部３０ａに沿って案内給紙ベルト４及びリバースコロ６に向かって斜上方に屈曲させる。この案内板３０は窪み３１の部分において下方に湾曲しているので、原稿の先端部を斜下方から斜上方の向きに撓ませて、原稿の送り出しと弾性回復作用を利用して原稿同士が密接しないようにし、原稿束２０を一枚ごとに分離することを容易にしている。
【００１９】
図２に示すように、呼び出しコロ３と分離給紙部４０との間でかつ案内板３０の下方には、原稿テーブル１の原稿の先端を規制する原稿ストッパ（規制部材）２が設けられている。原稿ストッパ２は、案内板３０の後端部の下方に設けられた支点２ａを中心に、搬送路３４を遮蔽して原稿テーブル１に載置された原稿束２０の先端を規制する規制位置（図２において実線で示す位置）と、この規制位置から退避して分離給紙部４０による給紙を可能にする退避位置（図２において一点鎖線で示す位置）に移動自在に設けられている。尚、下方の案内板３０には、規制位置及び退避位置に移動する原稿ストッパ２と干渉しないようにするための開口３０ｃが形成されている。
【００２０】
この原稿ストッパ２は、支点２ａから延びる基端部２ｂ及びこの基端部２ｂから所定角度をなすように延びる先端部２ｃとで略「く」字状に形成されており、先端部２ｃにおいて、原稿テーブル１側の面（図２において左側の面）は、原稿束２０が突き当てられる突当面２ｄとされている。この突当面２ｄには、この突当面２ｄに突き当たった原稿の先端が滑らないようにするために、突当面２ｄから突出した三角錐状の突起（滑り止め部）２ｅが突当面２ｄ全体に亘って多数形成されている。尚、滑り止め部としては、三角錐状の突起に限定されず、例えば、溝条や突条を突当面２ｄの幅方向に亘って形成したり、あるいは突当面２ｄを梨子地状に形成したりする等、突当面２ｄに突き当たった原稿の先端が滑らない適宜の形状に形成可能であることは言うまでも無い。
【００２１】
この原稿ストッパ２は、画像形成装置５１の制御部等の制御によって駆動するモータ等の駆動源の駆動により、規制位置及び退避位置のいずれかに移動するようになっている。具体的には、給紙動作中のとき、呼び出しコロ３によって原稿テーブル１から送り出される原稿を阻害しないように、基端部２ｂ及び先端部２ｃが案内板３０より下方の退避位置に位置している。
【００２２】
一方、給紙動作中以外のときは、原稿束２０を原稿テーブル１上にセットする時の先端揃えのため及び原稿束２０の給紙分離部４０への進入を阻止するために、先端部２ｃが案内板３０より上方に突き出した規制位置に位置している。すなわち、原稿ストッパ２が規制位置に位置しているときは、原稿ストッパの先端部２ｂは、原稿テーブル１への原稿束２０のセットの際、原稿束２０が原稿ストッパ２を越えて給紙分離部４０へ進入させないよう、案内板３０と対向する位置にある上方の案内板３２に対してオーバーラップしている。
【００２３】
次に、上述した構成の自動原稿給紙装置５０の動作を説明する。原稿テーブル１の上に原稿束２０をセットし、そのまま原稿ストッパ２の先端部２ｃにおける突当面２ｄに突き当たるまで給紙口１３に差し込む。この原稿が突当面２ｄに突き当たると、この突当面２ｄに形成された突起２ｅにより突き当たった時点での位置を保持される。
【００２４】
画像形成装置本体の図示しないコピースタートボタンの押下により給紙モータが正回転して、呼び出しコロ３、給紙ベルト４及びリバースコロ６が時計方向に回転する。それと同時に原稿ストッパ２が案内板３０より下側に回動し搬送路３４を開放するとともに、呼び出しコロ３が原稿テーブル３の原稿束２０に向けて落下する。この呼び出しコロ３により、原稿テーブル１の原稿束２０の原稿が搬送路３４内に送り出される。
【００２５】
呼び出しコロ３によって送り出されている原稿の先端部は、搬送路３０の案内板３０の窪み３１を境に、搬送路３４の案内板３０の形状に沿って斜め下方から斜め上方の向きに湾曲することにより、原稿の先端が給紙ベルト４及びリバースコロ６に向かう。すなわち、呼び出しコロ３によって送り出された原稿は下り傾斜の後端部分３０ｂに沿って滑り落ちるように進んで窪み３１に突き当たった後、上り傾斜のプレ分離部３０ａに沿って上るように進むため、原稿が窪み３１を境に湾曲しながら搬送される。これにより、原稿テーブル１から複数枚の原稿が重なって重送されても、これらの原稿間に隙間ができ易くなるので、原稿束２０を一枚ごとに容易に分離することができる。
【００２６】
このようにして送り出された原稿の先端部は給紙ベルト４とリバースコロ６のニップ部分に入り、重送された原稿束の上面側で時計方向に回転する給紙ベルト４と、重送された原稿束の下面側で給紙ベルト４に対し所定の速度差をもって回転するリバースコロ６とにより原稿束２０の最も上に位置する原稿から順に一枚ごとに分離されて搬送される。
【００２７】
一枚ずつ分離されて搬送された原稿が、プルアウトコロ５の上流に配置されたプルアウトセンサ１８により検知されてから所定の時間後に呼び出しコロ３が上昇し、給紙ベルト４を駆動する給紙モータは正転から逆転に駆動方向を切り替えた後に停止する一方、リバースコロ６はそのまま回転して次原稿の分離給紙部４０への進入を阻止する。そして、この状態で、原稿はプルアウトコロ対５、搬送コロ対１４によりコンタクトガラス８及び対向ガイド板９からなる読取搬送部７へと搬送される。そして、読取搬送部７にて画像を読み取られた原稿は、搬送コロ対１５と排紙コロ１１により、排紙トレイ１０へ排出される。
【００２８】
以上、説明したように、本実施の形態では、原稿ストッパ２の突当面２ｄに、原稿の滑り止めとなる突起２ｅが設けられているので、突当面２ｄに突き当たった原稿が滑るのを防止することができ、良好なセット感を得ることができる。この結果、原稿を原稿テーブル１に差し込んでセットした際に、原稿を押し込み過ぎるのを防止でき、原稿の先端を揃え易くすることができる。また、突当面２ｄに突き当たった原稿の先端が滑るのを防止することができるため、原稿の先端が滑ってカールしたときにも対応できるように、原稿ストッパ２の寸法を大きく取る必要がなく、自動原稿搬送装置５０の小型化を図ることができる。
【００２９】
また、図３に示すように、原稿テーブル１にカールした原稿や薄紙等のコシの弱い原稿がセットされた場合であっても、この原稿の先端が突当面２ｄの突起２ｅによって滑らなくなって図中実線の位置で保持することができ、原稿のカールを防止することができる。これにより、図３中一点鎖線で示すように、原稿の先端が突当面２ｄに沿うように滑って波状に大きくカールして、原稿ストッパ２を乗り越えることを防止することができるため、原稿が原稿ストッパ２を乗り越えることによって、原稿テーブル１上のセット位置が変わることによる原稿サイズの誤検知を防止することができる。
【００３０】
本発明は、上述した実施の形態に限定されず、その用紙を逸脱しない範囲内において、種々の変形が可能である。
【００３１】
例えば、上述の実施の形態では、原稿ストッパ２の突当面２ｄに突起２ｅを設けたが、これに代えて、図４に示すように、ゴムシートからなる摩擦部材４５を突当面２ｄに貼り付けるようにしても良く、この場合であっても、上述の実施の形態と同様な作用効果を奏する。尚、摩擦部材４５としては、原稿の先端が滑らない程度の摩擦係数を有する部材であれば良く、例えば、スポンジ、植毛テープ及びフェルト等を使用することができる。また、摩擦部材４５としては、上述のゴムシートやスポンジ等の弾性を有する部材を用いるのが、原稿の先端の滑り止めを行う観点から好ましい。
【００３２】
また、上述の実施の形態では、原稿自動搬送装置１を画像形成装置５１に設けたが、これに代えて、原稿の画像を読み取る読取部を有するスキャナ等の画像読取装置（図示せず）に設けても良く、この場合であっても、上述した実施の形態と同様な作用効果を奏する。
【図面の簡単な説明】
【００３３】
【図１】本発明の実施の形態に係る自動原稿搬送装置を概略的に示す断面図である。
【図２】図１の自動原稿搬送装置の要部を拡大して示す断面図である。
【図３】図２の原稿ストッパの作用を説明するための断面図である。
【図４】変形例にかかる原稿ストッパを示す断面図である。
【符号の説明】
【００３４】
１                原稿テーブル（原稿載置台）
２                原稿ストッパ（規制部材）
２ｅ              突起（滑り止め部）
３４              搬送路
４０              分離給紙部（給紙部）
４５              弾性摩擦部材
５０              自動原稿搬送装置
５１              画像形成装置
【図１】
2008265885.tif 000003
【図２】
2008265885.tif 000004
【図３】
2008265885.tif 000005
【図４】
2008265885.tif 000006